(57)【要約】【課題】  液体を含浸させてある素糸でも、能率良く、しかも、略均一に撚りを掛けることができるようにする。【解決手段】  給糸チーズＡを同芯状に収容自在なチーズポット９と、給糸チーズから上向きに繰り出した素糸ａを下向きに挿通してチーズポットの外側に導出可能な素糸挿通路１４とを同芯状に設け、チーズポットの外側に導出した素糸をそのチーズポットの外周側を旋回させながら巻き取って、素糸に撚りを掛けるように構成してある二重撚糸装置であって、チーズポットの上部開口２０を開閉自在な蓋体２２で、素糸の給糸チーズから素糸挿通路への送り込み空間２３を囲繞してある。【選択図】        図１
2006111982.tif 000002
【特許請求の範囲】
【請求項１】
給糸チーズを同芯状に収容自在なチーズポットと、前記給糸チーズから上向きに繰り出した素糸を下向きに挿通して前記チーズポットの外側に導出可能な素糸挿通路とを同芯状に設け、
前記チーズポットの外側に導出した素糸をそのチーズポットの外周側を旋回させながら巻き取って、前記素糸に撚りを掛けるように構成してある二重撚糸装置であって、
前記チーズポットの上部開口を開閉自在な蓋体で、前記素糸の前記給糸チーズから前記素糸挿通路への送り込み空間を囲繞してある二重撚糸装置。
【請求項２】
前記蓋体に、前記送り込み空間の内外を連通可能な貫通孔を形成してある請求項１記載の二重撚糸装置。
【請求項３】
前記チーズポットの外周側における前記素糸の旋回空間を囲繞するカバーを設けてある請求項１又は２記載の二重撚糸装置。
【請求項４】
前記チーズポットの内底部に、前記給糸チーズをその内周側と外周側とを全周に亘って囲む状態で受け止め可能な受け皿を設けてある請求項１〜３のいずれか１項記載の二重撚糸装置。
【発明の詳細な説明】
【技術分野】
【０００１】
本発明は、給糸チーズを同芯状に収容自在なチーズポットと、前記給糸チーズから上向きに繰り出した素糸を下向きに挿通して前記チーズポットの外側に導出可能な素糸挿通路とを同芯状に設け、前記チーズポットの外側に導出した素糸をそのチーズポットの外周側を旋回させながら巻き取って、前記素糸に撚りを掛けるように構成してある二重撚糸装置に関する。
【背景技術】
【０００２】
上記二重撚糸装置は、チーズポットと同芯状に設けてある素糸挿通路を下向きに通過してそのチーズポットの外側に導出した素糸を、チーズポットの外周側を旋回させて、バルーンを形成しながらチーズポットの上方に導いて巻き取るので、素糸をチーズポット周りで一回旋回させる毎に二回の撚りを掛けて、能率良く撚糸できる利点があるが、稼働中の二重撚糸装置においては、チーズポットの外周側に形成されるバルーンにより、風が発生している。
従来の二重撚糸装置では、給糸チーズの素糸を、チーズポットの上部開口を通して、風の発生しているチーズポットの上部に繰り出した後、素糸挿通路に下向きに挿通して、チーズポットの外側に導出するように構成してある（例えば、特許文献１参照）。
また、上記二重撚糸装置に関する技術ではないが、繊維を紙状に加工してテープ状にカットしてある素糸に撚りを掛けるにあたって、撚りを均一に掛け易くなるように、そのテープ状の素糸に水などの液体を含浸させて撚りを掛ける技術が知られている（例えば、特許文献２参照）。
【０００３】
【特許文献１】実開昭５１−７２５３１号公報
【特許文献２】特開平１０−１２１３３９号公報
【発明の開示】
【発明が解決しようとする課題】
【０００４】
そこで、液体を含浸させた素糸を能率良く撚糸するために、二重撚糸装置を使用することが考えられるが、従来の二重撚糸装置は、給糸チーズそのものが、チーズポットの上方空間に対して露出状態で収容されるために、給糸チーズ上の素糸が、給糸に伴って経時的に乾燥し易く、その上、素糸が、チーズポットの上部開口を通して、チーズポット上部の風の発生している空間に繰り出されるので、素糸挿通路に入り込むまでの間に素糸が乾燥され易く、その結果、素糸に含浸している液体が蒸発して、素糸の液体含浸状態にむらが生じ易く、均一に撚りを掛けにくい欠点がある。
本発明は上記実情に鑑みてなされたものであって、液体を含浸させてある素糸でも、能率良く、しかも、略均一に撚りを掛けることができるようにすることを目的とする。
【課題を解決するための手段】
【０００５】
本発明の第１特徴構成は、給糸チーズを同芯状に収容自在なチーズポットと、前記給糸チーズから上向きに繰り出した素糸を下向きに挿通して前記チーズポットの外側に導出可能な素糸挿通路とを同芯状に設け、前記チーズポットの外側に導出した素糸をそのチーズポットの外周側を旋回させながら巻き取って、前記素糸に撚りを掛けるように構成してある二重撚糸装置であって、前記チーズポットの上部開口を開閉自在な蓋体で、前記素糸の前記給糸チーズから前記素糸挿通路への送り込み空間を囲繞してある点にある。
【０００６】
〔作用及び効果〕
チーズポットの上部開口を開閉自在な蓋体で、素糸の給糸チーズから素糸挿通路への送り込み空間を囲繞してあるので、チーズポットの上部開口を通して、給糸チーズ自体や、繰り出された素糸が、チーズポットの外周側を旋回する素糸によって発生する風に接触するおそれが少ない。
その結果、液体を含浸させてある素糸を撚糸する場合でも、その素糸が素糸挿通路に入り込むまでの間には乾燥されにくくなって、素糸が含浸している液体の蒸発を抑制できるので、素糸の液体含浸状態にむらが生じにくくなり、従って、液体を含浸させてある素糸でも、能率良く、しかも、略均一に撚りを掛けることができる。
【０００７】
本発明の第２特徴構成は、前記蓋体に、前記送り込み空間の内外を連通可能な貫通孔を形成してある点にある。
【０００８】
〔作用及び効果〕
チーズポットの外周側を旋回中の素糸が切れたような場合は、切れた素糸の端部がチーズポットの外側を旋回することにより生じる遠心力で、給糸チーズの素糸がバルーンを形成することなく素糸挿通路を通してチーズポットの外側に繰り出されることがある。
このような場合に、素糸の給糸チーズから素糸挿通路への送り込み空間を蓋体で囲繞してあると、その素糸の給糸チーズからの繰り出しを蓋体の外側から阻止できないが、送り込み空間の内外を連通可能な貫通孔を蓋体に形成してあるので、このような場合でも、蓋体の貫通孔を通して送り込み空間に挿入した、例えば棒状の操作具で、給糸チーズからの素糸の繰り出しを阻止して、素糸のチーズポット外側への素糸挿通路を通した繰り出しを停止させることができる。
【０００９】
本発明の第３特徴構成は、前記チーズポットの外周側における前記素糸の旋回空間を囲繞するカバーを設けてある点にある。
【００１０】
〔作用及び効果〕
チーズポットの外周側における素糸の旋回空間を囲繞するカバーを設けてあるので、チーズポットの外周側をバルーン状に旋回する素糸によって発生する風が外方へ逃げにくく、そのために乾燥しにくい。
【００１１】
本発明の第４特徴構成は、前記チーズポットの内底部に、前記給糸チーズをその内周側と外周側とを全周に亘って囲む状態で受け止め可能な受け皿を設けてある点にある。
【００１２】
〔作用及び効果〕
チーズポットの内底部に、給糸チーズをその内周側と外周側とを全周に亘って囲む状態で受け止め可能な受け皿を設けてあるので、液体を含浸させてある素糸を撚糸する場合に、給糸チーズの素糸から液体が滲み出ても、装置の作動に悪影響を及ぼさないように、その滲み出た液体を受け皿で受け止めることができるとともに、給糸チーズを受け止めている受け皿に含浸用の液体を溜めておいて、素糸の乾燥を防止することもできる。
【発明を実施するための最良の形態】
【００１３】
以下に本発明の実施の形態を図面に基づいて説明する。
〔第１実施形態〕
図１は本発明による二重撚糸装置を示し、１はスピンドルで、図外の駆動装置のベルト２を巻き掛けるベルト巻き掛け部を備えたワープ３と、ボルスター４に形成した縦孔に対して回転自在に挿嵌可能なインサート５ａを備えたブレード５、並びに、ディスク６とディスクホルダー７とを一体化して構成してある。
【００１４】
８は給糸装置部で、給糸チーズＡを同芯状に収容自在なチーズポット９を備えたハウジング１０と、給糸チーズＡから繰り出された素糸ａをカプセル１１のテンサートップガイド１２に案内するフライヤー１３とを設け、給糸チーズＡから上向きに繰り出した素糸ａを、フライヤー１３を経由して、下向きに挿通してチーズポット９の外側に導出可能な素糸挿通路１４を、チーズポット９と同芯状にカプセル１１の内部に設けて、案内ピン１９の外周面に沿わせてチーズポット９の外側に導出した素糸ａを、そのチーズポット９の外周側とその外周側を囲んでいる筒状カバー１５との間の旋回空間１６を旋回させながら、スネールワイヤ１８のリング部１８ａを通過した後の素糸ａを巻き取って、素糸ａに撚りを掛けるように構成してある。
【００１５】
前記チーズポット９は、外周筒部９ａと環状の底板部９ｂとを一体に備えていて、その上部に環状の上部開口２０を形成してあり、その内底部に、給糸チーズＡをその内周側と外周側とを全周に亘って囲む状態で受け止め可能な受け皿２１を挿脱自在に設けてある。
【００１６】
そして、チーズポット９の上部開口２０を開閉自在な樹脂製の透明蓋体２２を着脱自在に設けて、その蓋体２２で素糸ａの給糸チーズＡから素糸挿通路１４への送り込み空間２３を囲繞するとともに、その蓋体２２に、送り込み空間２３の内外を連通可能な貫通孔２４を形成してある。
【００１７】
前記蓋体２２は、チーズポット９と同芯状で、上端側ほど小径の略円錐台形状に形成してあり、その下端部を、環状のゴムパッキン２５を挟んで、チーズポット９の上縁に嵌合して送り込み空間２３を囲繞し、その上端側の略扁平な蓋体部分２６の、チーズポット９の軸芯、つまり、スピンドル軸芯Ｘから偏芯した位置に貫通孔２４を形成して、その貫通孔２４から送り込み空間２３に挿入した棒状操作具でフライヤー１３の旋回を停止させることができるようにしてある。
【００１８】
上記二重撚糸装置を使用して、繊維を紙状に加工してテープ状にカットしてある素糸ａに撚りを掛ける方法を説明する。
【００１９】
テープ状の素糸ａを巻き取ってある給糸チーズＡを水槽に漬けて素糸ａに水を含浸させておき、したたり落ちない程度の水を素糸ａに含浸させてある給糸チーズＡをチーズポット９に収容した給糸装置部８をスピンドル１に挿嵌して、ハウジング１０に設けてあるマグネット２７の磁力でディスク６に装着するとともに、ハウジング１０に設けてあるマグネット２７と、ディスク６の外周側に間隔を隔てて固定してあるマグネット２８との磁気吸引力で、給糸装置部８を吸引静止させる。
【００２０】
そして、給糸チーズＡから上向きに繰り出した素糸ａを、フライヤー１３を経由して、テンサートップガイド１２とカプセル１１の内部の素糸挿通路１４に下向きに挿通し、更に、ブレード５に形成してある孔とスピンドルガイド１ａを介して、チーズポット９の外側、つまり、ディスクホルダー７の外側方に導出した素糸ａをスネールワイヤ１８のリング部１８ａに案内し、この状態でスピンドル１を１回転させることにより、素糸ａを押さえているカプセル１１を支点として、スピンドル糸道の曲がり部とディスクホルダー７との間での１回と、更に、ディスクホルダー７とスネールワイヤ１８との間での１回との合計２回の撚りを同時に行う。
【００２１】
〔第２実施形態〕
図２は本発明による二重撚糸装置を示し、チーズポット９の外周側における素糸ａの旋回空間１６、つまり、バルーン形成空間を、素糸取り出し口１７を除いて囲繞する透明カバー１５を設けてある。
【００２２】
前記透明カバー１５は、スピンドル軸芯Ｘを通る面で左右に分割されていて、チーズポット９の外周部と下部の旋回空間１６を囲繞する有底筒状の下部カバー部分１５ａと、下部カバー部分１５ａに対してスピンドル軸芯Ｘ方向で着脱自在に連結され、かつ、チーズポット９上部の旋回空間１６を囲繞して、スネールワイヤーと同等機能の素糸取り出し口１７を備えた上部カバー部分１５ｂとから構成してあり、上部カバー部分１５ｂの下部カバー部分１５ａに対する着脱で給糸チーズＡを容易に交換することができるように構成してある。
【００２３】
また、素糸取り出し口１７は、カバー内側の素糸ａを外部に導出できる程度の直径で、スピンドル軸芯Ｘと同芯状に上部カバー部分１５ｂに形成してあり、マグネット２８は、カバー１５の外周側に間隔を隔てて固定してある。
その他の構成は第１実施形態と同様である。
【００２４】
〔その他の実施形態〕
本発明による二重撚糸装置は、油性液体を含浸させてある素糸に撚りを掛けるために使用するものであっても良い。
【図面の簡単な説明】
【００２５】
【図１】本発明の二重撚糸装置を示す縦断面図
【図２】第２実施形態を示す縦断面図
【符号の説明】
【００２６】
９    チーズポット
１４  素糸挿通路
１５  カバー
１６  旋回空間
２０  上部開口
２１  受け皿
２２  蓋体
２３  送り込み空間
２４  貫通孔
Ａ    給糸チーズ
ａ    素糸
【図１】
2006111982.tif 000003
【図２】
2006111982.tif 000004
【手続補正書】
【提出日】平成17年10月17日(2005.10.17)
【手続補正１】
【補正対象書類名】明細書
【補正対象項目名】０００４
【補正方法】変更
【補正の内容】
【０００４】
そこで、液体を含浸させた素糸を能率良く撚糸するために、二重撚糸装置を使用することが考えられるが、従来の二重撚糸装置は、給糸チーズそのものが、チーズポットの上方空間に対して露出状態で収容されるために、給糸チーズ上の素糸が、給糸に伴って経時的に乾燥し易く、その上、素糸が、チーズポットの上部開口を通して、チーズポット上部の風の発生している空間に繰り出されるので、素糸挿通路に入り込むまでの間に素糸が乾燥され易く、その結果、素糸に含浸している液体が蒸発して、素糸の液体含浸状態にむらが生じ易く、均一に撚りを掛けにくい欠点がある。
また、給糸チーズから上向きに繰り出された素糸は、給糸チーズ周りを旋回しながら素糸挿通路に下向きに入り込むので、素糸挿通路に入り込む直前の素糸は、給糸チーズ周りでの旋回に伴う遠心力で、チーズポットの外周側に形成されるバルーン側に向けて膨らむように湾曲しながら給糸チーズ周りを旋回し易く、この湾曲時の素糸の曲率半径は、曲げ剛性が大きい素糸ほど大きくなる。
このため、繊維を紙状に加工してテープ状にカットしてあるような曲げ剛性が大きい素糸を撚糸するような場合は、バルーン側に向けて膨らむように大きく湾曲した素糸が、バルーンに接触して糸切れなどを起こしやすい欠点もある。
本発明は上記実情に鑑みてなされたものであって、液体を含浸させてある素糸でも、曲げ剛性が大きい素糸でも、能率良く、しかも、略均一に撚りを掛けることができるようにすることを目的とする。
【手続補正２】
【補正対象書類名】明細書
【補正対象項目名】０００６
【補正方法】変更
【補正の内容】
【０００６】
〔作用及び効果〕
チーズポットの上部開口を開閉自在な蓋体で、素糸の給糸チーズから素糸挿通路への送
り込み空間を囲繞してあるので、チーズポットの上部開口を通して、給糸チーズ自体や、繰り出された素糸が、チーズポットの外周側を旋回する素糸によって発生する風に接触するおそれが少ない。
その結果、液体を含浸させてある素糸を撚糸する場合でも、その素糸が素糸挿通路に入り込むまでの間には乾燥されにくくなって、素糸が含浸している液体の蒸発を抑制できるので、素糸の液体含浸状態にむらが生じにくくなり、従って、液体を含浸させてある素糸でも、能率良く、しかも、略均一に撚りを掛けることができる。
また、給糸チーズ周りを旋回する素糸のバルーン側への膨らみ量を、素糸の給糸チーズから素糸挿通路への送り込み空間を囲繞している蓋体の内面との接触で規制できるので、湾曲時の曲率半径が大きくなり易い曲げ剛性が大きい素糸でも、バルーンとの接触による糸切れなどが起こりにくくなり、従って、曲げ剛性が大きい素糸でも、能率良く、しかも、略均一に撚りを掛けることができる。